(57)【要約】【課題】オイルタンクのオイル流出口からのゴミ等の不要物の流出を抑制する。【解決手段】オイルタンク１０は、第１収容領域１１を有する第１タンク部１３と、第２収容領域１２を有する第２タンク部１４と、第１収容領域１１及び第２収容領域１２の上端部同士を連通する連通部１５とを備える。連通部１５は、第２収容領域１２に回収されたオイルの第１収容領域１１への流出を許容し、第２収容領域１２から第１収容領域１１へ流出したオイルが第１タンク部１３の内周面４７に沿って渦状に流れるように、第２収容領域１２から第１収容領域１１の外周部４６へ向かって開口する。第１タンク部１３のオイル流出口４１は、第１タンク部１３の蓋体１９よりも上方、且つ連通部１５よりも下方に配置される。【選択図】図３
2018144585.tif 000002
【特許請求の範囲】
【請求項１】
パワーステアリングユニットとオイルタンクとがオイル供給路とオイル回収路とによって連結され、前記オイル供給路は、前記オイルタンクのオイルをポンプによって前記パワーステアリングユニットへ供給し、前記オイル回収路は、前記パワーステアリングユニットへ供給されたオイルを前記オイルタンクへ回収する車両のオイルタンク構造であって、
オイルを収容する第１収容領域と、前記第１収容領域を前記オイル供給路に連通させるオイル流出口とを有する第１タンク部と、
オイルを収容する第２収容領域と、前記第２収容領域を前記オイル回収路に連通させるオイル流入口とを有する第２タンク部と、
前記第１収容領域の上部と前記第２収容領域の上部とを連通し、前記第２収容領域に回収されたオイルの前記第１収容領域への流出を許容する連通部と、を備え、
前記連通部は、前記第２収容領域から前記第１収容領域へ流出したオイルが前記第１タンク部の内側面に沿って渦状に流れるように、前記第２収容領域から前記第１収容領域の外周部へ向かって開口し、
前記第１タンク部の前記オイル流出口は、前記第１タンク部の底面部よりも上方、且つ前記連通部よりも下方に配置される
ことを特徴とする車両のオイルタンク構造。
【請求項２】
請求項１に記載のオイルタンク構造であって、
前記第１タンク部は、前記連通部から連続して前記第１タンク部の内側面に沿って延びるガイド部を有し、
前記ガイド部は、前記第２収容領域から前記第１収容領域へ移動したオイルが前記第１タンク部の内側面に沿って前記第１収容領域の外周部を渦状に流れるように、オイルを案内する
ことを特徴とする車両のオイルタンク構造。
【請求項３】
請求項１または請求項２に記載のオイルタンク構造であって、
前記第１タンク部の前記オイル流出口は、前記第１収容領域の外周部を流れるオイルの流通方向の上流から下流に向かって開口する
ことを特徴とする車両のオイルタンク構造。
【請求項４】
請求項１〜請求項３のいずれかに記載のオイルタンク構造であって、
前記第１タンク部は、前記第１収容領域を上方から塞ぐ上板部のうち前記第１収容領域の外周部の上方に配置されて前記第１収容領域と外部とを連通するオイル補充口と、前記オイル補充口の下方に配置されて前記第１タンク部の内側面に沿って延びる補充オイルガイド部を有し、
前記補充オイルガイド部は、前記オイル補充口から補充されたオイルが前記第１タンク部の内側面に沿って前記第１収容領域の外周部を渦状に流れるように、オイルを案内する
ことを特徴とする車両のオイルタンク構造。
【請求項５】
請求項１〜請求項４のいずれかに記載のオイルタンク構造であって、
前記第１タンク部は、前記底面部に磁石を有する
ことを特徴とする車両のオイルタンク構造。
【発明の詳細な説明】
【技術分野】
【０００１】
本発明は、車両のオイルタンク構造に関する。
【背景技術】
【０００２】
特許文献１には、パワーステアリング用油タンクが記載されている。油タンク内の油は、油タンクの底部の出口から油圧ポンプによりパワーステアリングへ送られ、戻り口から油タンクへ戻される。出口にはフィルタが嵌合される。
【先行技術文献】
【特許文献】
【０００３】
【特許文献１】実開昭６３−１７６５１１号公報
【発明の概要】
【発明が解決しようとする課題】
【０００４】
ところで、オイルタンクは、ポンプの圧力確保等の観点から、戻り口（オイル流入口）側にフィルタを設け、オイルタンクの出口（オイル流出口）側を開放する場合がある。この場合、オイルの流出口が開放されているので、オイルに含まれるゴミ等の不要物が流出口からポンプ側へ流出してしまう可能性がある。ゴミ等の不要物が流出口からポンプ側へ流出してしまうと、不要物がポンプに詰まってポンプが故障してしまうおそれがある。
【０００５】
そこで、本発明は、オイルタンクのオイル流出口からのゴミ等の不要物の流出を抑制することが可能なオイルタンク構造の提供を目的とする。
【課題を解決するための手段】
【０００６】
上記課題を解決するため、本発明は、パワーステアリングユニットとオイルタンクとがオイル供給路とオイル回収路とによって連結され、前記オイル供給路は、前記オイルタンクのオイルをポンプによって前記パワーステアリングユニットへ供給し、前記オイル回収路は、前記パワーステアリングユニットへ供給されたオイルを前記オイルタンクへ回収する車両のオイルタンク構造であって、第１タンク部と第２タンク部と連通部とを備える。第１タンク部は、オイルを収容する第１収容領域と、第１収容領域をオイル供給路に連通させるオイル流出口とを有する。第２タンク部は、オイルを収容する第２収容領域と、第２収容領域をオイル回収路に連通させるオイル流入口とを有する。連通部は、第１収容領域の上部と第２収容領域の上部とを連通し、第２収容領域に回収されたオイルの第１収容領域への流出を許容する。連通部は、第２収容領域から第１収容領域へ流出したオイルが第１タンク部の内側面に沿って渦状に流れるように、第２収容領域から第１収容領域の外周部へ向かって開口する。第１タンク部のオイル流出口は、第１タンク部の底面部よりも上方、且つ連通部よりも下方に配置される。
【０００７】
上記構成では、連通部が、第１収容領域の上部と第２収容領域の上部とを連通し、第２収容領域に回収されたオイルの第１収容領域への流出を許容するので、オイル回収路から回収されたオイルは、第２タンク部の第２収容領域に収容され、その後、連通部を介して第１タンク部の第１収容領域の上部へ流出する。連通部は、第２収容領域から第１収容領域へ流出したオイルが第１タンク部の内側面に沿って渦状に流れるように、第２収容領域から第１収容領域の外周部へ向かって開口するので、第２タンク部から第１タンク部へ流出したオイルは、第１タンク部の内側面に沿って第１収容領域の外周部を渦状に流れ、第１タンク部の底面部よりも上方に配置されたオイル流出口からポンプによってパワーステアリングユニットへ供給される。
【０００８】
このように、オイル回収路から回収されたオイルが、先ず第２タンク部の第２収容領域に収容されるので、例えば、オイルに含まれるゴミ等の不要物（以下、単に不要物という）のうち比較的大きな不要物を第２タンク部の底部に集積させたり、或いは、第２タンク部側にフィルタを設けることによって第２タンク部側で不要物を捕集したりして、オイル流出口を有する第１タンク部ではなく、第２タンク部側でオイルから不要物を取り除くことができる。
【０００９】
また、第２タンク部の第２収容領域から第１タンク部の第１収容領域へ流出したオイルが、第１タンク部の内側面に沿って渦状に流れるので、第２タンク部側で取り除くことができなかった不要物を第１タンク部の内側面に沿って渦状に流下させて、不要物を第１タンク部の底面部の中央部に集積させることができる。
【００１０】
また、第１タンク部のオイル流出口が第１タンク部の底面部よりも上方に配置されるので、第１タンク部の底面部に集積した不要物は、オイル流出口から流出し難い。このため、オイルタンクのオイル流出口からの不要物の流出を抑制することができる。
【００１１】
また、上記第１タンク部は、連通部から連続して第１タンク部の内側面に沿って延びるガイド部を有してもよく、ガイド部は、第２収容領域から第１収容領域へ移動したオイルが第１タンク部の内側面に沿って第１収容領域の外周部を渦状に流れるように、オイルを案内してもよい。
【００１２】
上記構成では、ガイド部は、第２収容領域から第１収容領域へ移動したオイルが第１タンク部の内側面に沿って第１収容領域の外周部を渦状に流れるように、オイルを案内するので、第１タンク部の第１収容領域で渦状の流れを確実に発生させることができる。
【００１３】
また、上記第１タンク部のオイル流出口は、第１収容領域の外周部を流れるオイルの流通方向の上流から下流に向かって開口してもよい。
【００１４】
上記構成では、第１タンク部のオイル流出口は、第１収容領域の外周部を流れるオイルの流通方向の上流から下流に向かって開口する。すなわち、オイル流出口からオイル供給路へ流出するオイルは、第１収容領域のオイルの流れに逆らってオイル流出口に吸い込まれる。このため、第１収容領域の外周部を流れるオイルに含まれる不要物を吸い込み難いので、オイルタンクのオイル流出口からの不要物の流出を抑制することができる。
【００１５】
また、上記第１タンク部は、第１収容領域を上方から塞ぐ上板部のうち第１収容領域の外周部の上方に配置されて第１収容領域と外部とを連通するオイル補充口と、オイル補充口の下方に配置されて第１タンク部の内側面に沿って延びる補充オイルガイド部を有してもよく、補充オイルガイド部は、オイル補充口から補充されたオイルが第１タンク部の内側面に沿って第１収容領域の外周部を渦状に流れるように、オイルを案内してもよい。
【００１６】
上記構成では、第１タンク部は、オイル補充口の下方に配置されて第１タンク部の内側面に沿って延びる補充オイルガイド部を有する。補充オイルガイド部は、オイル補充口から補充されたオイルが第１タンク部の内側面に沿って第１収容領域の外周部を渦状に流れるように、オイルを案内する。このため、オイルを補充する際にオイル補充口を介して外部から第１タンク部の第１収容領域に不要物が浸入しても、第１収容領域に浸入した不要物がオイルと共に補充オイルガイド部に案内されて第１タンク部の第１収容領域の外周部を渦状に流れるので、不要物を第１タンク部の底面部の中央部に集積することができる。
【００１７】
また、上記第１タンク部は、底面部に磁石を有してもよい。
【００１８】
上記構成では、第１タンク部は、底面部に磁石を有するので、第１タンク部の底面部の中央部に集積した不要物のうち磁石につく不要物（例えば、鉄製の不要物）を確実に捕集することができる。
【発明の効果】
【００１９】
本発明によれば、オイルタンクのオイル流出口からのゴミ等の不要物の流出を抑制することができる。
【図面の簡単な説明】
【００２０】
【図１】本発明の一実施形態に係るオイルタンクを備えるパワーステアリングシステムの概略図である。
【図２】図１のオイルタンクの水平方向と交叉する方向の断面図である。
【図３】図２のIII−III矢視断面図である。
【図４】他の実施形態に係るオイルタンクの断面図である。
【発明を実施するための形態】
【００２１】
以下、本発明の一実施形態を図面に基づいて説明する。なお、図１及び図２の矢印は、オイルの流通方向を示す。また、図２において、ＵＰは車両の上方を示す。
【００２２】
図１に示すように、本実施形態に係るオイルタンク１０は、パワーステアリングシステム２を備える車両１に搭載される。パワーステアリングシステム２は、コントロールバルブ等を含むパワーステアリングユニット９を有する。パワーステアリングユニット９は、オイルタンク１０から供給される油圧によって車輪３の操舵をアシストする。
【００２３】
オイルタンク１０とパワーステアリングユニット９とは、フィードホース５とリターンホース７とによって連結される。フィードホース５は、オイルタンク１０からパワーステアリングユニット９へオイルを供給するためのオイル供給路４を内部に区画する。リターンホース７は、パワーステアリングユニット９に供給されたオイルをパワーステアリングユニット９からオイルタンク１０へオイルを回収するためのオイル回収路６を内部に区画する。すなわち、オイルタンク１０とパワーステアリングユニット９とは、２つの異なる流路４，６で連結される。オイル供給路４には、オイルタンク１０からパワーステアリングユニット９へオイルを圧送するオイルポンプ（ポンプ）８が設けられる。
【００２４】
図２及び図３に示すように、オイルタンク１０は、パワーステアリングユニット９（図１参照）に供給するオイルを収容可能なタンクであって、オイルを収容する収容領域を後述する複数の内壁２２，２３，２４で２つの収容領域１１，１２に仕切った２層式のタンクである。オイルタンク１０の外壁２５は、断面円弧状（本実施形態では、中心角が１８０度の半円弧状）の外壁２５ａと、外壁２５ａと対向する断面コ字状の外壁２５ｂとによって構成される。オイルタンク１０は、２つの収容領域１１，１２のうちの一方の第１収容領域１１を有する第１タンク部１３と、他方の第２収容領域１２を有する第２タンク部１４と、第１収容領域１１及び第２収容領域１２の上端部同士を連通する連通部１５とを備える。第１タンク部１３には、フィードホース５が接続され、第２タンク部１４には、リターンホース７が接続される。
【００２５】
第１タンク部１３は、所定の高さ位置１６よりも上方で上下方向に円筒状に延びる円筒部１３ａと、上記所定の高さ位置１６よりも下方の縮径部１３ｂとを有する。円筒部１３ａは、オイルタンク１０の断面半円弧状の外壁２５ａと、第１収容領域１１と第２収容領域１２とを仕切る断面円弧状（本実施形態では、中心角が９０度の円弧状）の内壁２２と、第２タンク部１４との間に空間２７を区画する断面円弧状（本実施形態では、中心角が９０度の円弧状）の内壁２３とによって構成される。縮径部１３ｂは、円筒部１３ａの下端から連続して下方へ、徐々に縮径するテーパ状に形成され、下端の略中央部に下端開口１８を有する。円筒部１３ａの上端は、第２タンク部１４と共通の上板部１７によって塞がれる。縮径部１３ｂの下端開口１８には、下端開口１８を塞ぐ蓋体（底面部）１９が下方から取り付けられる。すなわち、第１タンク部１３の第１収容領域１１は、円筒部１３ａ及び縮径部１３ｂによって側方が区画され、オイルタンク１０の上板部１７によって上方が区画され、蓋体１９によって下方が区画される。蓋体１９の上面２１には、磁石２０が固定される。第１タンク部１３には、後述するように、オイル流出口４１から連続するオイル流出管３９と、スロープ４０とが設けられる。
【００２６】
第２タンク部１４は、上下方向に延びる筒状部２８を有する。筒状部２８の上端は、第１タンク部１３と共通の上板部１７によって塞がれ、筒状部２８の下端は、底板部２９によって塞がれる。すなわち、第２タンク部１４の第２収容領域１２は、筒状部２８によって側方が区画され、オイルタンク１０の上板部１７によって上方が区画され、底板部２９によって下方が区画される。上記所定の高さ位置１６よりも上方の筒状部２８は、オイルタンク１０の断面コ字状の外壁２５ｂと、第１収容領域１１と第２収容領域１２とを仕切る断面円弧状の内壁２２と、内壁２３との間に空間２７を区画する内壁２４とによって構成される。内壁２４は、内壁２２と内壁２３との境界部で第１収容領域１１に対して外接するように、前記境界部から外壁２５ｂに直交する方向へ延び、外壁２５ｂに連続する。底板部２９には、上下方向に延びて、内部にオイル回収路６を区画する略円筒状のオイル流入管３０が底板部２９と一体的に設けられる。オイル流入管３０の上端開口であるオイル流入口３１は、底板部２９よりも上方に配置され、オイル流入管３０の下端開口３２は、底板部２９よりも下方に配置される。底板部２９よりも下方のオイル流入管３０には、リターンホース７が取り付けられる。第２収容領域１２で底板部２９よりも上方に突出するオイル流入管３０には、オイル流入管３０の外径よりも僅かに大きな内径を有する略円筒状のフィルタ３３が、フィルタ３３の内側にオイル流入管３０を挿入した状態で取り付けられる。フィルタ３３は、上下方向に延びて、その上端開口３８が上板部１７の近傍に配置される。上板部１７のうちフィルタ３３の上方には、フィルタ３３を出し入れ可能な大きさの開口部３４が形成され、開口部３４には、開口部３４を開閉可能な蓋体３５が取り付けられる。蓋体３５の下面にはコイルスプリング３６が固定され、コイルスプリング３６の下端に弁体３７が固定される。弁体３７は、フィルタ３３の上端開口３８をコイルスプリング３６の付勢力によって塞ぐとともに、フィルタ３３を下方へ押圧してフィルタ３３を支持する。コイルスプリング３６の付勢力は、フィルタ３３の内部のオイルが増えて弁体３７に到達した際に、オイルが弁体３７を押し上げてフィルタ３３の上端開口３８から流出可能な強さに設定される。
【００２７】
連通部１５は、内壁２４の上端部に形成される第２タンク開口４４から、内壁２３の上端部で内壁２３を貫通する第１タンク開口４５まで延び、第１収容領域１１と第２収容領域１２とを連通して、第２収容領域１２に回収されたオイルの第１収容領域１１への流出を許容する。第２タンク開口４４は、内壁２４の上端を上板部１７の下面から下方へ離間した位置に配置することによって形成される開口であって、上方が上板部１７の下面に区画され、下方が内壁２４の上端縁に区画され、幅方向の一方（図３における上方）が外壁２５ｂの内面に区画され、幅方向の他方（図３における下方）が内壁２３の他端部に区画される。第１タンク開口４５は、内壁２３の上端部の幅方向の一方側の端部に配置される開口であって、上方が上板部１７の下面に区画され、下方が内壁２３の上端縁に区画され、幅方向の一方が外壁２５ｂの内面に区画され、幅方向の他方が内壁２３に区画される。第２タンク開口４４の下端縁４４ａと、第１タンク開口４５の下端縁４５ａとの間には、上面視略三角状の連通下板部５３が延びており、連通下板部５３は、内壁２４と内壁２３との間の空間２７を上方から塞ぐ。連通部１５は、上方が上板部１７に区画され、下方が連通下板部５３に区画され、幅方向の一方が外壁２５ｂに区画され、幅方向の他方が第２タンク開口４４の他側の縁と第１タンク開口４５の他側の縁との間で延びる内壁２３に区画される。このように、連通部１５は、幅方向の一側の壁部（実施形態では、外壁２５ｂ）が第２タンク部１４側から第１収容領域１１に外接する方向（接線方向）に沿って延びることによって、第２収容領域１２から第１収容領域１１へ流出したオイルが第１タンク部１３の内周面（内側面）４７に沿って渦状に流れるように、第２収容領域１２から第１収容領域１１の外周部４６へ向かって開口する。
【００２８】
第１タンク部１３には、連通部１５から連続して第１タンク部１３の内周面４７に沿って第１収容領域１１の外周部４６を渦状に下方へ傾斜して延びるスロープ４０が設けられる。スロープ４０は、所定の長さ（本実施形態では、約１／４周）に形成されるスロープ下板部（ガイド部、補充オイルガイド部）４８とスロープ側板部４９とを有する。スロープ下板部４８は、第１タンク開口４５の下端縁４５ａの連通部１５の連通下板部５３の端部から連続して、第１タンク部１３の内周面４７から径方向内側へ突出した状態で、内周面４７に沿って第１収容領域１１の外周部４６を渦状に下方へ傾斜して延びる。スロープ側板部４９は、スロープ下板部４８の径方向の内端部から起立する。
【００２９】
第１タンク部１３の円筒部１３ａの内壁２３のうち、第１タンク開口４５よりも下方には、第１収容領域１１からのオイルの流出を許容するオイル流出口４１が形成される。連通部１５の連通下板部５３の下方の空間２７（第１タンク部１３と第２タンク部１４との間の空間２７）には、オイル流出口４１から連続して延びて、内部にオイル供給路４を区画するオイル流出管３９が設けられる。オイル流出管３９は、オイル流出口４１から連続して外壁２５ｂに沿って（上記接線方向に沿って）延びる横管３９ａと、横管３９ａから曲折して下方へ延びる縦管３９ｂとを有する。すなわち、オイル流出口４１は、第１タンク部１３の底面部（本実施形態では、蓋体１９）よりも上方、且つ連通部１５よりも下方に配置され、第１収容領域１１の外周部４６を渦状に流れるオイルの流通方向（本実施形態では、上面視において反時計回り）の上流から下流に向かって開口する。縦管３９ｂの下端部には、フィードホース５が取り付けられる。
【００３０】
第１タンク部１３の上方の上板部１７のうち第１収容領域１１の外周部４６の上方の外縁部（第１タンク部１３の上方の上板部１７の径方向の外側の縁部）には、オイルを補充可能なオイル補充口５０が形成される。オイル補充口５０は、上板部１７の上記外縁部のうち、スロープ４０のスロープ下板部４８の上方に配置されて、第１収容領域１１とオイルタンク１０の外部５２とを連通する。すなわち、スロープ４０のスロープ下板部４８は、オイル補充口５０から補充されたオイルが第１タンク部１３の内周面４７に沿って第１収容領域１１の外周部４６を渦状に流れるようにオイルを案内する補充オイルガイド部として機能する。オイル補充口５０には、開閉可能に蓋体５１が取り付けられる。
【００３１】
上記のように構成されたオイルタンク１０では、連通部１５が、第１収容領域１１及び第２収容領域１２の上端部同士を連通し、第２収容領域１２に回収されたオイルの第１収容領域１１への流出を許容するので、オイル回収路６から回収されたオイルは、第２タンク部１４の第２収容領域１２に収容され、その後、連通部１５を介して第１タンク部１３の第１収容領域１１の上端部へ流出する。連通部１５は、第２収容領域１２から第１収容領域１１へ流出したオイルが第１タンク部１３の内周面４７に沿って渦状に流れるように、第２収容領域１２から第１収容領域１１の外周部４６へ向かって接線方向に沿って開口するので、第２タンク部１４から第１タンク部１３へ流出したオイルは、第１タンク部１３の内周面４７に沿って第１収容領域１１の外周部４６を渦状に流れ、第１タンク部１３の下端開口１８を塞ぐ蓋体１９よりも上方に配置されたオイル流出口４１からオイルポンプ８によってパワーステアリングユニット９へ供給される。
【００３２】
このように、オイル回収路６から回収されたオイルが、先ず第２タンク部１４の第２収容領域１２に収容されるので、オイルに含まれるゴミ等の不要物（以下、単に不要物という）のうち比較的大きな不要物を、フィルタ３３によって捕集したり、或いは、第２タンク部１４の底板部２９に集積させたりすることができる。このため、オイル流出口４１を有する第１タンク部１３側へオイルが流出する前の第２タンク部１４側でオイルから不要物を取り除くことができるので、オイルタンク１０のオイル流出口４１からの不要物の流出を抑制することができる。
【００３３】
また、連通部１５が、第２収容領域１２から第１収容領域１１へ流出したオイルが第１タンク部１３の内周面４７に沿って渦状に流れるように、第２収容領域１２から第１収容領域１１の外周部４６へ向かって開口し、スロープ４０のスロープ下板部４８が、連通部１５の連通下板部５３から連続して第１タンク部１３の内周面４７に沿って下方に傾斜して渦状に延びる。このため、第２タンク部１４の第２収容領域１２から第１タンク部１３の第１収容領域１１へ流出したオイルが、スロープ下板部４８に案内されて第１タンク部１３の内周面４７に沿って渦状に流れるので、上述したフィルタ３３等によって第２タンク部１４側の取り除くことができなかった不要物を、第１タンク部１３の内周面４７に沿って渦状に流下させて、不要物を第１タンク部１３の底面部（蓋体１９の上方）に集積させることができる。
【００３４】
また、第１タンク部１３は、下方へ向かって徐々に縮径する縮径部１３ｂを有するので、第１タンク部１３の内周面４７に沿って渦状に流下させた不要物を、第１タンク部１３の底面部（蓋体１９の上方）に確実に集積させることができる。
【００３５】
また、第１タンク部１３の蓋体１９に磁石２０が固定されるので、第１タンク部１３の蓋体１９の上方に集積した不要物のうち磁石につく不要物（例えば、鉄製の不要物）を確実に捕集することができる。
【００３６】
また、第１タンク部１３のオイル流出口４１が第１タンク部１３の蓋体１９よりも上方に配置されるので、第１タンク部１３の蓋体１９の上方に集積した不要物が、オイル流出口４１から流出し難い。このため、オイルタンク１０のオイル流出口４１からの不要物の流出を抑制することができる。
【００３７】
また、第１タンク部１３のオイル流出口４１は、第１収容領域１１の外周部４６を流れるオイルの流通方向（本実施形態では、上面視において反時計回り）の上流から下流に向かって開口する。すなわち、オイル流出口４１からオイル供給路４へ流出するオイルは、第１収容領域１１のオイルの流れに逆らってオイル流出口４１に吸い込まれる。このため、第１収容領域１１の外周部４６を流れるオイルに含まれる不要物を吸い込み難いので、オイルタンク１０のオイル流出口４１からの不要物の流出を抑制することができる。
【００３８】
また、オイル補充口５０は、スロープ４０のスロープ下板部４８の上方に配置されるので、オイル補充口５０から補充されたオイルは、第１タンク部１３の内周面４７に沿って第１収容領域１１の外周部４６を渦状に流れるように、スロープ４０のスロープ下板部４８に案内される。このため、オイルを補充する際にオイル補充口５０を介して外部５２から第１タンク部１３の第１収容領域１１に不要物が浸入しても、第１収容領域１１に浸入した不要物がオイルと共にスロープ４０のスロープ下板部４８に案内されて第１タンク部１３の第１収容領域１１の外周部４６を渦状に流れるので、オイルを補充する際に第１収容領域１１に浸入した不要物を第１タンク部１３の蓋体１９の上方に集積することができる。
【００３９】
従って、本実施形態によれば、オイルタンク１０のオイル流出口４１からのゴミ等の不要物の流出を抑制することができる。
【００４０】
なお、本実施形態では、オイルタンク１０を、オイルを収容する内部の収容領域を２つの収容領域１１，１２に仕切った２層式のタンクとしたが、これに限定されるものではなく、収容領域１１，１２を含む３層式以上のタンクであってもよい。
【００４１】
また、本実施形態では、円筒部１３ａと縮径部１３ｂとを有する第１タンク部１３としたが、これに限定されるものではなく、円筒状の第１タンク部であってもよいし、或いは断面多角形状の第１タンク部であってもよい。
【００４２】
また、第１タンク部１３の下端の略中央部に下端開口１８を設けなくてもよく、例えば、第１タンク部１３は、平板状の底板部を有してもよい。
【００４３】
また、第１タンク部１３の底面部（本実施形態では蓋体１９）に磁石２０を設けなくてもよい。
【００４４】
また、本実施形態では、第１タンク部１３のスロープ４０を、スロープ下板部４８とスロープ側板部４９とによって構成したが、スロープ下板部４８のみを有するスロープ４０であってもよい。
【００４５】
また、本実施形態では、オイル流出口４１を、オイルの流通方向の上流から下流に向かって開口するように設けたが、これに限定されるものではなく、例えば、オイル流出口４１を第１収容領域１１の内部で下方へ向かって開口させてもよい。
【００４６】
また、第２タンク部１４の形状は、上記に限定されるものではない。また、第２タンク部１４にフィルタ３３を設けなくてもよい。
【００４７】
また、本実施形態では、第１タンク部１３及び第２タンク部１４の上方を共通の上板部１７によって塞いだが、これに限定されるものではない。
【００４８】
また、本実施形態では、内壁２４の上端部の第２タンク開口４４から内壁２３の上端部の第１タンク開口４５まで延びる連通部１５を設けたが、連通部１５はこれに限定されるものではない。例えば、図４に示すように、第１収容領域１１と第２収容領域１２とが１枚の内壁５５によって仕切られる部分に連通口（連通部）５６を設けてもよい。連通口５６の幅方向の一方（図４における上方）は、第１収容領域１１に外接する外壁２５ｂの内面に区画され、連通口５６は、第２収容領域１２から第１収容領域１１へ流出したオイルが第１タンク部１３の内周面４７に沿って渦状に流れるように、第２収容領域１２から第１収容領域１１の外周部４６へ向かって開口する。この場合であっても、第２タンク部１４の第２収容領域１２から第１タンク部１３の第１収容領域１１へ流出するオイルが、連通口５６の外壁２５ｂに案内されて第１タンク部１３の内周面４７に沿って渦状に流れるので、第２タンク部１４側の取り除くことができなかった不要物を、第１タンク部１３の内周面４７に沿って渦状に流下させて、不要物を第１タンク部１３の底面部に集積させることができる。
【００４９】
また、本実施形態では、第２収容領域１２から第１収容領域１１へ流出したオイルを第１タンク部１３の内周面４７に沿って渦状に流れるように案内するスロープ下板部（ガイド部）４８を含むスロープ４０を、第１タンク部１３に設けたが、図４に示すように、スロープ４０を設けなくてもよい。
【００５０】
また、本実施形態では、スロープ４０のスロープ下板部（補充オイルガイド部）４８の上方にオイル補充口５０を配置したが、これに限定されるものではなく、図４に示すように、第１タンク部１３の上方の上板部の外縁部（第１収容領域１１の外周部４６の上方）の所望の位置にオイル補充口５７を設け、該オイル補充口５７の下方に案内板（補充オイルガイド部）５８を設けてもよい。案内板５８は、オイル補充口５７から補充されたオイルが第１タンク部１３の内周面４７に沿って第１収容領域１１の外周部４６を渦状に流れるように、オイル補充口５７の下方から第１タンク部１３の内周面４７に沿って周方向の一側（図４では反時計回りの方向）の下方へ傾斜して延びる。或いは、オイル補充口の下方に補充オイルガイド部を設けることなく、オイル補充口を第１タンク部１３または第２タンク部１４の所望の位置に設けてもよい。
【００５１】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【符号の説明】
【００５２】
１：車両
４：オイル供給路
６：オイル回収路
８：オイルポンプ（ポンプ）
９：パワーステアリングユニット
１０：オイルタンク
１１：第１収容領域
１２：第２収容領域
１３：第１タンク部
１４：第２タンク部
１５：連通部
１７：上板部
２０：磁石
３１：オイル流入口
４０：スロープ
４１：オイル流出口
４６：第１収容領域の外周部
４７：第１タンク部の内周面（内側面）
４８：スロープ下板部（ガイド部、補充オイルガイド部）
５０，５７：オイル補充口
５２：外部
５６：連通口（連通部）
５８：案内板（補充オイルガイド部）
【図１】
2018144585.tif 000003
【図２】
2018144585.tif 000004
【図３】
2018144585.tif 000005
【図４】
2018144585.tif 000006